(57)【要約】【課題】楽曲の検索により適した楽曲リストの表示を行うことができる楽曲再生装置を提供する。【解決手段】楽曲再生装置を構成するインタフェース装置において、所定の各選択項目についてその内容に関する文字情報をその冒頭に位置付けられる所定の画像とともに表示した項目一覧を表示する表示手段と、選択項目のうちの選択中のものを、所定の操作子による操作入力に応答して、項目一覧の表示をスクロールさせることにより変更する選択手段とを設け、選択中の選択項目については、他の選択項目に比べ、画像の表示を拡大して行うが（ステップ７４）、スクロール速度が所定以上である場合には、それが所定以上でない場合に比べて拡大率を下げ、若しくは拡大を行わないか、又はすべての選択項目についての表示を文字情報のみの表示とする（ステップ７５）。【選択図】図９
2008071118.tif 000002
【特許請求の範囲】
【請求項１】
所定の各選択項目についてその内容に関する文字情報をその冒頭に位置付けられる所定の画像とともに表示した項目一覧を表示する表示手段と、
前記選択項目のうちの選択中のものを、所定の操作子による操作入力に応答して、前記項目一覧の表示をスクロールさせることにより変更する選択手段とを備え、
前記表示手段は、前記選択中の選択項目については、他の選択項目に比べ、前記画像の表示を拡大して行うが、前記スクロール速度が所定以上である場合には、それが所定以上でない場合に比べて該拡大の拡大率を下げ、若しくは該拡大を行わないか、又はすべての選択項目についての表示を前記文字情報のみの表示とするものであることを特徴とするインタフェース装置。
【請求項２】
前記所定の操作子は軽押し及び強押しの２段階で動作するタクトスイッチを備え、
前記選択手段は、前記タクトスイッチが強押しされた場合に、前記スクロール速度が所定以上の場合であると判断するものであることを特徴とする請求項１に記載のインタフェース装置。
【請求項３】
請求項１又は２のインタフェース装置を備えた楽曲再生装置であって、
前記インタフェース装置における各選択項目は、装置が備える記憶手段に楽曲データが記憶されている各楽曲、指示されたジャンルに含まれる各アーティスト、各アルバム若しくは各楽曲、指示されたアーティストに属する各アルバム若しくは各楽曲、又は指示されたアルバムに含まれる各楽曲であり、
前記各選択項目について表示される所定の画像は、その選択項目に関連付けられたアルバムジャケット画像又は所定のアイコン画像であることを特徴とする楽曲再生装置。
【請求項４】
コンピュータを、
所定の各選択項目についてその内容に関する文字情報をその冒頭に位置付けられる所定の画像とともに表示した項目一覧を、記憶手段に記憶されている前記文字情報及び画像のデータに基づき、表示装置において表示する表示手段、及び
前記選択項目のうちの選択中のものを、所定の操作子による操作入力に応答して、前記項目一覧の表示をスクロールさせることにより変更する選択手段として機能させ、
前記表示手段は、前記選択中の選択項目については、他の選択項目に比べ、前記画像の表示を拡大して行うが、前記スクロール速度が所定以上である場合には、それが所定以上でない場合に比べて該拡大の拡大率を下げ、若しくは該拡大を行わないか、又はすべての選択項目についての表示を前記文字情報のみの表示とするものであることを特徴とするインタフェースプログラム。
【請求項５】
コンピュータが、所定の各選択項目についてその内容に関する文字情報をその冒頭に位置付けられる所定の画像とともに表示した項目一覧を、記憶手段に記憶されている前記文字情報及び画像のデータに基づき、表示装置において表示する表示工程と、
コンピュータが、前記選択項目のうちの選択中のものを、所定の操作子による操作入力に応答して、前記項目一覧の表示をスクロールさせることにより変更する選択工程とを備え、
前記表示工程では、前記選択中の選択項目については、他の選択項目に比べ、前記画像の表示を拡大して行うが、前記スクロール速度が所定以上である場合には、それが所定以上でない場合に比べて該拡大の拡大率を下げ、若しくは該拡大を行わないか、又はすべての選択項目についての表示を前記文字情報のみの表示とすることを特徴とするインタフェース方法。
【発明の詳細な説明】
【技術分野】
【０００１】
本発明は、選択項目に関する文字情報をその冒頭に位置付けられる所定の画像と共に表示した項目一覧を表示し、項目一覧をスクロールさせることにより選択項目の変更を受け入れるようにしたインタフェース装置、インタフェースプログラム、及びインタフェース方法、並びに該装置を備えた楽曲再生装置に関する。
【背景技術】
【０００２】
従来、ポータブル楽曲再生装置におけるユーザインタフェースを改善する技術として、所定のカテゴリの階層を辿って再生対象の検索を行うことができるようにしたものが知られている。階層を形成するカテゴリとしては、たとえば、ジャンル、アーティスト、アルバム、プレイリスト等を採用することができる。この場合たとえば、ジャンル、アーティスト、及びアルバム並びに各アルバムに含まれる楽曲はこの順で階層構造を形成することができる。ユーザはたとえば、ホーム画面において表示されるアルバム、アーティスト、ジャンル、及びプレイリストのうちのいずれかのカテゴリから始めて、下位のカテゴリへ向けて、再生対象の検索を行うことができる。
【０００３】
たとえば、ユーザはホーム画面においてアルバムのカテゴリを選択することにより、装置に記録されているアルバムのリストを表示させることができる。さらに、いずれかのアルバムを選択して、そのアルバムに含まれる楽曲のリストを表示させることができる。同様に、ホーム画面においてアーティストを選択することにより、アーティスト、アルバム及び楽曲の順で、上位から下位の階層へ向けて検索を行うことができる。ホーム画面においてジャンルを選択した場合には、ジャンル、アーティスト、アルバム、及び楽曲の順で階層を下りながら検索を行うことができる。プレイリストを選択した場合には、ユーザが予めプレイリストに登録したアルバムや楽曲を検索することができる。
【０００４】
一方、楽曲の再生中に、その楽曲のアルバムジャケットの画像や、その楽曲のジャンルに関連したイメージ画像を表示するようにした楽曲再生装置も知られている（たとえば特許文献１参照）。
【０００５】
図８はさらに別の従来技術に係る楽曲再生装置における楽曲リストの表示画面を示す。この楽曲リストの表示は楽曲の選択用メニューとして用いられる。この楽曲リストの表示は、あるアルバムが選択された場合に、その下位の画面として、そのアルバムに含まれる楽曲について行われる。この楽曲再生装置では、上述のユーザインタフェースを改善する技術におけるのと同様のカテゴリによる階層構造に従った検索を可能としている。また、楽曲リスト中の各楽曲にはその楽曲が属するアルバムのジャケット画像が関連付けられており、楽曲リストの表示に際しては、各楽曲の名称の表示に付随させて、その楽曲に関連付けられた画像が表示される。
【０００６】
すなわち、図８に示す楽曲リストの表示画面８０では、最上部のアルバム表示欄８１において、選択されたアルバムの名称である「アルバムＡ」が表示されている。その下の、各楽曲の表示欄８２では、アルバムＡに含まれる各楽曲の名称として「楽曲１」、「楽曲２」・・・が表示されている。また、各楽曲名の表示に付随させて、各楽曲に関連付けられたアルバムジャケットの画像８３が併せて表示されている。基本的には、同一アルバムに含まれる各楽曲に対しては、同一のジャケット画像が関連付けられる。ただし、異なる画像が関連付けられる場合もある。
【０００７】
楽曲リストにおける選択中の楽曲についての表示欄８２ａ、すなわちカーソルが位置する表示欄８２ａでは、選択中であることがわかるように、画像の表示が拡大され、他の表示欄８２とは異なる配色の文字で情報の表示が行われる。拡大された表示欄８２ａには楽曲名称に加え、アーティストの名称「アーティストα」や演奏時間「３：３８」の情報が追加的に表示される。選択中の楽曲については、所定のユーザ操作がなされた場合、再生が開始されることになる。
【０００８】
【特許文献１】特開２００６−２１６２０１号公報
【発明の開示】
【発明が解決しようとする課題】
【０００９】
しかしながら、上述図８の従来例によれば、選択中の楽曲については、その表示欄が拡大され、画像の表示も拡大されるので、楽曲名の表示位置が、その冒頭に位置する拡大された画像によって後方に変位する。つまり図８に示されるように、選択されていない楽曲の楽曲名「楽曲１」、「楽曲２」、「楽曲４」等の最初の文字の配列位置から、選択中の楽曲３の楽曲名「楽曲３」の最初の文字の位置がかなりずれることになる。そうすると、楽曲のサーチに際し、所望の楽曲が選択されたかどうかを確認するために、ユーザは、選択されていない楽曲の楽曲名称の配列位置と、選択中の楽曲の楽曲名称の表示位置との間で絶えず視線を移動させなければならい。特に多数の楽曲を含む楽曲リストを高速でスクロールさせながらサーチする場合には、ユーザの負担が大きくなり、サーチ効率の低下を招くことになる。
【００１０】
本発明の目的は、このような従来技術の問題点に鑑み、楽曲の検索により適した楽曲リストの表示を行うことができる楽曲再生装置を提供することにある。
【課題を解決するための手段】
【００１１】
上記目的を達成するために、第１の発明に係るインタフェース装置は、所定の各選択項目についてその内容に関する文字情報をその冒頭に位置付けられる所定の画像とともに表示した項目一覧を表示する表示手段と、前記選択項目のうちの選択中のものを、所定の操作子による操作入力に応答して、前記項目一覧の表示をスクロールさせることにより変更する選択手段とを備え、前記表示手段は、前記選択中の選択項目については、他の選択項目に比べ、前記画像の表示を拡大して行うが、前記スクロール速度が所定以上である場合には、それが所定以上でない場合に比べて該拡大の拡大率を下げ、若しくは該拡大を行わないか、又はすべての選択項目についての表示を前記文字情報のみの表示とするものであることを特徴とする。
【００１２】
ここで、インタフェース装置としては、たとえば携帯型の楽曲再生装置において使用されるものが該当する。選択項目の内容に関する文字情報としては、たとえば、選択項目が楽曲である場合の楽曲名や再生時間が該当する。所定の画像としては、たとえば、選択項目がアルバムである場合の各アルバムに関連付けられたアルバムジャケット画像やアイコン画像が該当する。選択項目としては、たとえば、再生や削除の対象とする楽曲やアルバムが該当する。スクロールの速度が所定以上である場合としては、スクロールの実際の速度が所定以上である場合や、スクロールの指示された速度が所定以上である場合が該当する。
【００１３】
この構成において、各選択項目についてその内容に関する文字情報をその冒頭に位置付けられる所定の画像とともに表示した項目一覧の表示が行われると、ユーザは項目一覧をスクロールさせて、選択中の選択項目を順次変えてゆきながら、選択項目の検索を行うことができる。その際、選択中の選択項目については、他の選択項目に比べ、付随する画像の表示が拡大されて表示される。したがって選択中の選択項目については、その拡大された画像に付随する文字情報用のスペースも拡大され、より詳細な文字情報の表示が行われる。しかしながら、スクロール速度が所定以上である場合には、画像表示についての拡大率が減少され、若しくはその拡大は行われない。あるいは、すべての選択項目についての表示が文字情報のみの表示とされる。これにより、選択中の選択項目についての文字情報の表示が、選択されていない選択項目についての文字情報の表示位置に近くなり、又はまったく揃うことになる。したがって、選択項目のサーチに際し、ユーザの視線の移動を極力不要とし、サーチ労力を軽減させることができる。
【００１４】
第２の発明に係るインタフェース装置は、第１発明において、前記所定の操作子は軽押し及び強押しの２段階で動作するタクトスイッチを備え、前記選択手段は、前記タクトスイッチが強押しされた場合に、前記スクロール速度が所定以上の場合であると判断するものであることを特徴とする。
【００１５】
第３の発明に係る楽曲再生装置は、第１発明又は第２発明に係るインタフェース装置を備えた楽曲再生装置であって、前記インタフェース装置における各選択項目は、装置が備える記憶手段に楽曲データが記憶されている各楽曲、指示されたジャンルに含まれる各アーティスト、各アルバム若しくは各楽曲、指示されたアーティストに属する各アルバム若しくは各楽曲、又は指示されたアルバムに含まれる各楽曲であり、前記各選択項目について表示される所定の画像は、その選択項目に関連付けられたアルバムジャケット画像又は所定のアイコン画像であることを特徴とする。
【００１６】
第４の発明に係るインタフェースプログラムは、コンピュータを、所定の各選択項目についてその内容に関する文字情報をその冒頭に位置付けられる所定の画像とともに表示した項目一覧を、記憶手段に記憶されている前記文字情報及び画像のデータに基づき、表示装置において表示する表示手段、及び前記選択項目のうちの選択中のものを、所定の操作子による操作入力に応答して、前記項目一覧の表示をスクロールさせることにより変更する選択手段として機能させ、前記表示手段は、前記選択中の選択項目については、他の選択項目に比べ、前記画像の表示を拡大して行うが、前記スクロール速度が所定以上である場合には、それが所定以上でない場合に比べて該拡大の拡大率を下げ、若しくは該拡大を行わないか、又はすべての選択項目についての表示を前記文字情報のみの表示とするものであることを特徴とする。
【００１７】
第５の発明に係るインタフェース方法は、コンピュータが、所定の各選択項目についてその内容に関する文字情報をその冒頭に位置付けられる所定の画像とともに表示した項目一覧を、記憶手段に記憶されている前記文字情報及び画像のデータに基づき、表示装置において表示する表示工程と、コンピュータが、前記選択項目のうちの選択中のものを、所定の操作子による操作入力に応答して、前記項目一覧の表示をスクロールさせることにより変更する選択工程とを備え、前記表示工程では、前記選択中の選択項目については、他の選択項目に比べ、前記画像の表示を拡大して行うが、前記スクロール速度が所定以上である場合には、それが所定以上でない場合に比べて該拡大の拡大率を下げ、若しくは該拡大を行わないか、又はすべての選択項目についての表示を前記文字情報のみの表示とすることを特徴とする。
【発明の効果】
【００１８】
本発明によれば、選択中の選択項目については、他の選択項目に比べ、付随する画像の表示を拡大して行うが、スクロール速度が所定以上である場合には、それが所定以上でない場合に比べて該拡大の拡大率を下げ、若しくは該拡大を行わないか、又はすべての選択項目についての表示を文字情報のみの表示とするようにしたため、選択項目のサーチに際し、ユーザの視線の移動を極力不要とし、サーチ労力を軽減させることができる。
【００１９】
また、文字情報のみの表示とした場合には、画像表示のための負荷が軽減するので、スクロール速度が低下するのを防止することができる。
【発明を実施するための最良の形態】
【００２０】
図１は、本発明の一実施形態に係る携帯型の楽曲再生装置の構成を示すブロック図である。同図に示すようにこの装置は、装置各部の制御や各種情報の処理を行う制御部１１、制御部１１によってアクセスされるハードディスク１２、制御部１１の制御により各種情報の表示を行う表示部１３、制御部１１に対してユーザが操作入力を行うための入力部１４、制御部１１からの音声信号を音波に変換して出力する音声出力部１５を備える。
【００２１】
ハードディスク１２には、楽曲の再生に用いられる音楽ファイルや、各楽曲に対して関連付けられた画像データが格納される。制御部１１は所定のプログラムに従い、ハードディスク１２中のデータを参照しながら、入力部１４及び表示部１３を用いたユーザインタフェース機能や、該機能を介して指定された楽曲の再生等を行う。
【００２２】
図２は図１の装置の前面を示す。同図において、２１は表示部１３を構成する液晶ディスプレイの画面、２２は入力部１４を構成する操作キー、２３は同様に入力部１４を構成するメニューキー、２４は音声出力部１５を構成するヘッドホンである。操作キー２２は中央に位置する中央キーＭ、上部に位置する上キーＵ、下部に位置する下キーＤ、右側に位置する右キーＲ、及び左側に位置する左キーＬの５つのキーを備える。それぞれタクトスイッチで構成されている。特に上キーＵ及び下キーＤはそれぞれ、軽く押下する軽押し及び強く押下する強押しにより２段階で動作するタクトスイッチで構成されている。つまり、上キーＵ及び下キーＤはそれぞれ、１つのキーで軽押し及び強押しによる２種類の操作入力を行うことができるようになっている。
【００２３】
メニューキー２３は、各種動作モード設定用の選択項目を上下方向に並べて表示したメニュー画面を表示させるために用いることができる。上キーＵ及び下キーＤは、各種メニュー画面における選択項目の選択を行うために用いることができる。再生装置は、上キーＵ又は下キーＤが押下されると、選択中の項目を示すカーソルを、メニューの上方向又は下方向に移動させる。その際、選択項目数が多い場合には、必要に応じて、メニュー表示を上下方向にスクロールさせる。上キーＵ又は下キーＤの押下によるカーソル移動やメニュー表示のスクロールの速度は、軽押しの場合に遅く、強押しの場合に早い。右キーＲは選択中の項目に関連する下位の画面を表示させるために用いることができる。
【００２４】
図３はハードディスク１２に記録されている楽曲を区分する方法の一例を示す。各楽曲の音楽ファイルに付随するアルバム名、アーティスト名、ジャンル名等の情報に基づき、同図のように、各楽曲はアルバム毎に区分することができる。また、各アルバムはアーティスト毎に区分し、各アーティストはジャンル毎に区分することができる。すなわち、ジャンル、アーティスト、アルバム、及び楽曲を各階層のカテゴリとする階層構造を形成することができる。階層構造としては図３の例の他、音楽ファイルに付随するアルバム名、アーティスト名、ジャンル名等の情報を用いて形成し得る種々の形態のものを採用することができる。たとえば、カテゴリ要素として全楽曲が含まれる楽曲カテゴリのみの階層かなる階層構造や、カテゴリ要素として全アーティストが含まれるアーティストカテゴリの階層、及びその下の階層としての各アーティスト毎に区分された楽曲カテゴリの階層からなる階層構造を採用してもよい。
【００２５】
図４は画面２１に表示されたホーム画面を示す。この画面上には「アーティスト」、「アルバム」、「ジャンル」等のカテゴリ名が表示されており、いずれかのカテゴリを選択して右キーＲを押下することにより、そのカテゴリの階層から始めて、図３のような階層構造に従い、所望の階層のカテゴリにおける要素の検索を行うことができるようになっている。
【００２６】
たとえば、図４のホーム画面において「アーティスト」にカーソルが位置付けられ、「アーティスト」が選択された状態において、右キーＲが押下されると、楽曲再生装置は、図３の例に従えば、「アーティストＡ」、「アーティストＢ」・・・を選択項目とするアーティストの一覧画面を表示する。この画面において、上キーＵ及び下キーＤの操作により「アーティストＢ」が選択され、右キーＲが押下されると、アーティストＢに属する「アルバムｂ」及び「アルバムｃ」を選択項目とするアルバムの一覧画面を表示する。この画面においてアルバムｃが上キーＵ及び下キーＤの操作により選択され、右キーＲが押下されると、「楽曲１２」、「楽曲１３」・・・「楽曲ｎ」を選択項目とする楽曲の一覧画面を表示する。この画面においては、上キーＵ及び下キーＤの操作により、表示された楽曲のうちのいずれかを選択することができる。
【００２７】
また、このようにして所望の階層のカテゴリにおける選択要素を検索し、選択することにより、再生範囲や再生開始位置を指定することができるようになっている。たとえばアーティストＢが選択され、中央キーＭが押下された場合には、楽曲再生装置は、設定に応じ、アーティストＢに属する全アルバムの全楽曲を再生し、又はアーティストＢに属する最初のアルバムｂの楽曲６から再生を開始する。
【００２８】
図５は図３の例におけるアルバムｃが選択され、右キーＲが押下された場合に、画面２１上に表示される楽曲の一覧画面、すなわち楽曲選択用のメニュー画面を示す。同図に示すように、このメニュー画面には、画面２１の上部において、アルバムｃのアルバム名「アルバムｃ」及びこれに関連付けられたアルバムジャケットの画像５１が表示される。この表示の下の一覧表示領域６１においては、選択項目としての楽曲の一覧が表示されている。楽曲一覧として、同図においては、楽曲１２〜１６の楽曲名「楽曲１２」、「楽曲１３」・・・「楽曲１６」とともに、それぞれに関連付けられた画像５２〜５６が、各楽曲名に付随させて表示されている。
【００２９】
同図においては、楽曲１４が選択されている様子が示されている。すなわち、同図のメニュー画面の初期状態において楽曲１２の位置に位置していたカーソル６３が、下キーＤの軽押しにより、楽曲１４の位置に位置付けられたときの様子である。このように、選択されている楽曲については、付随する画像が拡大して表示され、楽曲名等の文字が明るい配色で表示され、演奏時間に関する情報が追加表示される。なお、下キーＤの軽押しが継続され、カーソル６３が一覧表示領域６１の下端の項目の１つ手前の項目位置に到達した後は、楽曲一覧が下方へ向けてスクロールされ、順次、楽曲１７、楽曲１８・・・の順で、それらについての選択項目としての表示が現れ、選択がなされてゆくことになる。なおスクロール中のカーソル６３の位置としては、上記下端項目の１つ手前の項目位置に限らず、たとえば、一覧表示領域６１の中間の位置を採用するようにしてもよい。次の図６や図７の例においても同様である。
【００３０】
図６は図５の状態において下キーＤが強押しされ、カーソル６３が楽曲１６の位置まで移動した後、該強押しが継続しているときの画面２１の状態の一例を示す。カーソル６３は一覧表示領域６１の下端の項目の１つ手前の項目位置に位置し、一覧表示領域６１内に表示されている楽曲リストは、下キーＤが軽押しされている場合よりも早い速度で下方向にスクロールしている。この高速スクロールが行われている間、楽曲リストにおいては、図５の場合に比べ、選択中の楽曲については、図６における楽曲２２の場合のように、付随する画像の拡大率は減少され又は画像の拡大は行われない。その分、カーソル６３の大きさは減少し、文字情報の表示領域も減少する。したがって、文字情報としては、楽曲名「楽曲２１」の他は再生時間「７：０５」のみが表示されている。下キーＤの強押しが解除された場合には、図５の態様による表示状態に戻る。
【００３１】
図７は図５の状態において下キーＤが強押しされ、カーソル６３が楽曲１６の位置まで移動した後、該強押しが継続しているときの画面２１の状態の別の例を示す。カーソル６３は一覧表示領域６１における最下項目の１つ上の項目に位置し、楽曲の一覧表示領域６１内に表示されている楽曲リストは、下キーＤが軽押しされている場合よりも早い速度で下方向にスクロールしている。この高速スクロールが行われている間、楽曲リストにおいては、楽曲名のみ、又は選択中の楽曲については楽曲名及び演奏時間のみが表示され、各楽曲に関連付けられた画像が表示されることはない。ただし、画面２１の上部には、アルバムｃの拡大されたジャケット画像５１ａが、アルバムｃのアルバム名「アルバムｃ」、アーティスト名「アーティストＢ」、曲数「１５曲」、総演奏時間「５０：４３」等の文字情報６２と共に表示される。下キーＤの強押しが解除された場合には、図５の態様による、各楽曲の画像表示を伴う表示状態に戻る。
【００３２】
図９は制御部１１による処理の一部を示すフローチャートである。この処理は、いずれかのアルバムが選択されて右キーＲが押下された状態において開始される。右キーＲが押下されたとき、各楽曲に付随する画像を表示する図５の態様による表示が行われるが、初期状態においては、カーソル６３は一覧表示領域６１の最上部に位置している。この状態において処理を開始すると、制御部１１はまず、ステップ７１及び７２において、上キーＵ又は下キーＤ若しくは他のキーが押下されるのを待機する。
【００３３】
上キーＵ又は下キーＤの押下を検出した場合には、ステップ７３へ進み、押下が強押しであるか否かを判定する。強押しではないと判定した場合すなわち軽押しの場合には、ステップ７４へ進み、図５の態様によるメニュー表示のままカーソル６３の移動を行ない、又は一覧表示領域６１に表示されている楽曲一覧のスクロールを所定の遅い速度で行う。スクロールは、カーソル６３が一覧表示領域６１における上端又は下端の項目の１つ手前の項目位置まで移動した後、その移動方においてさらに選択項目が存在する場合に、それらの選択項目が順次表示されるように行われる。カーソルの移動方向及びスクロールの方向は、押下されたキーが上キーＵ又は下キーＤであるかに応じて決定される。上キーＵ又は下キーＤの押下が停止されると、カーソル６３の移動又は楽曲一覧表示のスクロールを停止し、ステップ７１に戻る。このときにカーソル６３の位置に位置している楽曲が選択されたことになる。
【００３４】
ステップ７３において押下が強押しであると判定した場合には、同様に、カーソル６３の移動を行ない、又は楽曲一覧のスクロールを所定の速い速度で行う。ただし、カーソル６３を一覧表示領域６１における上端又は下端の項目の１つ手前の項目位置まで移動させる間は、画面２１の表示態様は図５の態様のままであるが、楽曲一覧をスクロールさせている間は図６又は図７の態様による表示を行う。つまり、高速スクロール中は、選択中の楽曲については図５の場合に比べ、付随する画像の拡大の拡大率を下げ、若しくはその拡大を行わないか、又はすべての楽曲についての表示を文字情報のみの表示とする。上キーＵ又は下キーＤの押下が停止されると、画面２１の表示態様を図５の態様とし、ステップ７１に戻る。このときにカーソル６３の位置に位置している楽曲が選択されたことになる。
【００３５】
ステップ７２において他のキーの押下を検出した場合には、そのまま図７の処理を終了する。この場合、押下された他のキーに対応する処理が行われることになる。
【００３６】
本実施形態によれば、選択中の楽曲については、他の楽曲に比べ、付随する画像の表示を拡大して行うが、強押しによって速いスクロール速度が指示された場合には、軽押しによる遅いスクロールの場合に比べて該拡大表示の拡大率を下げ、若しくは該拡大を行わないか、又はすべての楽曲についての表示を文字情報のみの表示とするようにしたため、楽曲のサーチに際し、ユーザの視線の移動を極力不要とし、サーチ労力を軽減させることができる。
【００３７】
また、文字情報のみの表示とした場合には、画像表示のための負荷が軽減するので、スクロール速度が低下するのを防止することができる。
【００３８】
なお、本発明は上述の実施形態に限定されることなく適宜変形して実施することができる。たとえば、上述においては、音楽ファイルや関連図形を格納するためにハードディスクを用いているが、この代わりに半導体メモリを用いるようにしてもよい。
【００３９】
また上述においては、スクロール時における楽曲一覧の表示態様として図５又は図６若しくは図７の態様のいずれを用いるかを、タクトスイッチの押下が強押しであるか軽押しであるかに応じて決定するようにしているが、この代わりに、実際のスクロール速度に応じて決定するようにしてもよい。実際のスクロール速度は、たとえば、スクロールのための画面の書換えルーチンにおいて書換え数をカウントする処理を設け、そのカウント値の単位時間における変化量として取得することができる。
【図面の簡単な説明】
【００４０】
【図１】本発明の一実施形態に係る携帯型の楽曲再生装置の構成を示すブロック図である。
【図２】図１の装置の前面を示す図である。
【図３】図１の装置のハードディスクに記録されている楽曲を区分する方法の一例を示す図である。
【図４】図１の装置におけるホーム画面を示す図である。
【図５】図３の例におけるアルバムｃが選択され、右キーＲが押下された場合に表示される楽曲選択用のメニュー画面を示す図である。
【図６】図５の表示状態において下キーＤが強押しされ、スクロール状態となったときの表示態様の一例を示す図である。
【図７】図５の表示状態において下キーＤが強押しされ、スクロール状態となったときの表示態様の別の例を示す図である。
【図８】図１の装置における制御部による処理の一部を示すフローチャートである。
【図９】従来の楽曲再生装置における１つのアルバムに含まれる楽曲のリストを表示した画面を示す図である。
【符号の説明】
【００４１】
１１：制御部、１２：ハードディスク、１３：表示部、１４：入力部、１５：音声出力部、２１：画面、２２：操作キー、２３：メニューキー、２４：ヘッドホン、Ｍ：中央キー、Ｒ：右キー、Ｌ：左キー、Ｕ：上キー、Ｄ：下キー、５１〜５６，５１ａ：画像、６１：一覧表示領域、６２：文字情報、６３：カーソル、８０：表示画面、８１：アルバム表示欄、８２：表示欄、８２ａ：拡大された表示欄、８３：画像。
【図１】
2008071118.tif 000003
【図２】
2008071118.tif 000004
【図３】
2008071118.tif 000005
【図４】
2008071118.tif 000006
【図５】
2008071118.tif 000007
【図６】
2008071118.tif 000008
【図７】
2008071118.tif 000009
【図８】
2008071118.tif 000010
【図９】
2008071118.tif 000011